(57)【要約】      （修正有）【課題】扉を閉じた時に扉と外枠との間隙から室内の音が外部へ伝わり、又他室や廊下の音が室内で聞こえることの不快さを解消し、又室内の照明光の洩れ及び室内外との間での空気流通及び大気の黄砂・タバコの煙・異臭の進入を防止する扉の隙間閉鎖構造を提供する。【解決手段】扉本体の下辺周縁部に溝部を設け、これに弾支片支持本体３１・弾支片３０・嵌合用突起３１ｂ・傾斜ベース３２・傾斜ベースの表面に接合したゴム磁石４０ａとを一体化した閉鎖部材５０を気密状に嵌装し、傾斜ベースとゴム磁石とから形成される磁石板４０は傾斜して取り付けると共に、磁性体で形成した扉下枠の沓摺も閉位置方向に傾斜させる。【選択図】図３
0003197883.tif 000002
【実用新案登録請求の範囲】
【請求項１】
建造物の開口部の内周に外枠を取付け、同外枠に嵌合する扉本体を外枠の一辺で蝶着した構造の扉における扉閉時における扉本体と外枠との間に生じる隙間を閉鎖する扉の隙間閉鎖構造であって、扉閉時において扉本体と外枠の間に隙間が生じる個所の外枠又は扉本体の一方の周縁部分に、弾支片を他方の扉本体又は外枠方向に向けて突出するように且つ前記周縁部分に沿って周縁部と弾支片とが気密状に連接するように取付け、同弾支片の先端に磁石板を取付け、扉本体を閉じた場合に前記磁石板に対向する位置となる扉本体又は外枠の外周面の素材を磁性体として前記磁石板が対向する磁性体の面と吸着できるようにし、しかも弾支片の先端の磁石板は扉閉時直前の磁性体の面と傾斜する状態に取付け、扉本体が閉じると弾支片と磁石板が変形変位して磁石板の傾斜した先端部分が対向した磁性体の外周面に先ず吸着し、扉が閉じるに従ってその吸着面が増えるように磁石板が磁力で吸着して、外枠と扉本体との閉時の隙間を弾支片と磁石板とで閉鎖できるようにした、扉の隙間閉鎖構造。
【請求項２】
弾支片が隙間を生じる個所の外枠の周縁部に沿って且つ扉本体方向に向けて突出するように脱着自在に外枠に取付けられ、弾支片の先端の磁石板が扉本体を閉じた場合に対向する位置となる扉本体の外周面の素材を磁性体とした、請求項１記載の扉の隙間閉鎖構造。
【請求項３】
弾支片が隙間を生じる扉本体の周縁部に沿って且つ外枠方向に向けて突出するように脱着自在に扉本体に取付けられ、弾支片の先端の磁石板が扉本体を閉じた場合に対向する位置となる外枠の外周面の素材を磁性体とした、請求項１記載の扉の隙間閉鎖構造。
【請求項４】
弾支片を取付ける扉本体の周縁部が扉本体の下辺の周縁部で、又その対向する外枠の下枠を扉の磁性体の沓摺とし、しかも弾支片の先端に取付けられる磁石板は扉本体が閉じる方向に動くときに前方側となる磁石板の前端が後端に比べ、取付けている扉本体の周縁部に近くなるように磁石板を傾斜状態に取付け、磁性体の沓摺の表面は扉閉鎖位置に近づくに従って高くなるように傾斜するように設けられ、磁石板は扉本体が閉方向に動くにつれてその後端から前端に向けて沓摺表面に磁力で吸着していく部分が漸次増えることで、軽い開閉操作力で円滑に弾支片と磁石板とによって扉本体と外枠との隙間を閉鎖できるようにした、請求項３記載の扉の隙間閉鎖構造。
【請求項５】
弾支片が、外枠の周縁部分に同周縁部と気密を保つように連接され且つ外枠と脱着自在に取付けられる弾支片支持本体の外端に一体的に設けられたものである、請求項２記載の扉の隙間閉鎖構造。
【請求項６】
弾支片が、扉本体の周縁部分に同周縁部と気密を保つように連接され且つ扉本体と脱着自在に取付けられる弾支片支持本体の外端に一体的に設けられたものである、請求項３又は４記載の扉の隙間閉鎖構造。
【請求項７】
磁石板と弾支片先端との連結部及び弾支片支持本体と弾支片との連結部に切欠を設けて連結部で折曲し易くして、磁石板が扉閉時に対向する磁性体の対向面に添う姿勢に動き易くした、請求項５記載の扉の隙間閉鎖構造。
【請求項８】
磁石板と弾支片先端との連結部及び弾支片支持本体と弾支片との連結部に切欠を設けて連結部で折曲し易くして、磁石板が扉閉時に対向する磁性体の対向面に添う姿勢に動き易くした、請求項６記載の扉の隙間閉鎖構造。
【請求項９】
磁石板が、弾支片の先端に一体的に取付けた傾斜ベースの外面にゴム磁石を付着して形成された、請求項３，４，６，８いずれか記載の扉の隙間閉鎖構造。
【請求項１０】
磁石板が、弾支片の先端に一体的に取付けた傾斜ベースの外面にゴム磁石を付着して形成された、請求項１，２，５，７いずれか記載の扉の隙間閉鎖構造。
【請求項１１】
弾支片とその先端の傾斜ベース及び弾支片支持本体及び弾支片支持本体の外周に突出させた複数の嵌合用突起とを一体成型で一つの閉鎖部材として製造し、ゴム磁石を傾斜ベースに付着して扉本体の凹所に嵌合して気密的に且つ脱着自在に取付けた、請求項９記載の扉の隙間閉鎖構造。
【請求項１２】
弾支片とその先端の傾斜ベース及び弾支片支持本体及び弾支片支持本体の外周に突出させた複数の嵌合用突起とを一体成型で一つの閉鎖部材として製造し、ゴム磁石を傾斜ベースに付着して外枠の凹所に嵌合して気密的に且つ脱着自在に取付けた、請求項１０記載の扉の隙間閉鎖構造。
【請求項１３】
傾斜ベースの表面外周縁に沿って係止片を周設し、同係止片の内面とベース表面とに接着剤を塗布して、磁石板を塗布した係止片とベース表面に嵌合させて傾斜ベースに取付けた、請求項９〜１２いずれか記載の扉の隙間閉鎖構造。
【考案の詳細な説明】
【技術分野】
【０００１】
本考案は、建造物の人の出入口・間仕壁の連通口又は窓となる開口部あるいは建物の換気口・通気口・ダクトの空気吹出又は吸引のグリルに取付けられる扉であって、一辺を外枠側に蝶着して回転できる扉本体と開口部の内周縁に沿って取付けられる外枠とからなる扉において、扉本体を外枠に嵌合して閉めた状態において、扉本体と外枠との間の隙間から通過する音声・雑音を低減する防音のため、隙間から洩れる室内の照明光を遮断するため、又は隙間から出入する温度・湿度が異なる空気流の遮断又は煙等の異臭・ゴミ・黄砂・火山灰等を遮断するための扉の隙間閉鎖構造に関する。
【背景技術】
【０００２】
扉又は引戸における扉本体・戸本体とその外枠との間の隙間を閉鎖する構造として、回転する扉本体と外枠のいずれかに磁石を取付け、他方の磁石と対向する部材又はその表面材を磁性体素材とすることで、扉本体が閉められた際に磁石と磁性体が磁力で吸着して、扉本体・戸本体とその外枠との間に隙間がないようにする構造が知られている。
【０００３】
しかし、扉において磁力で扉本体とそれらの外枠との間が引き寄せられても、扉本体の周縁と外枠の対向周縁との間に設計上，施工上又は経年変形で隙間があれば、磁石吸着しても音・光・ゴミ・黄砂・火山灰は通過し、又空気流も流入流出するものである。
【０００４】
この隙間をなくすには高い寸法精度で扉本体と外枠とを製造し、施工しなければならない。それでも経年変化が生じて隙間が発生するものであり、高い精度の扉は製造施工コストとそのメンテナンスの補修工事のコストを高くするものである。
【０００５】
又、扉本体とその外枠との間にゴム・パッキンを取付けて又はテーパーを与えて隙間がないように嵌合させる技術もあるが、この技術では扉本体の閉時に強く嵌合しないと隙間を閉鎖できず、扉本体の開閉操作を軽やかにできにくいという問題点がある。
【０００６】
更に、特許文献１記載の発明のマグネットパッキンは、平板状マグネットを塩ビで包被したマグネット吸着面を有し、その反対側にドアパネル又は戸当り部材に付着させる突起状の取付部を有するものである。そのマグネット吸着面は、ドア閉鎖時における相手方磁性体の面材と平行に取付けられる。
そのため、マグネットパッキンはドアの閉時において、相手方の磁性体の面材とマグネット吸着面とは略同時に全面的に相手方の磁性体の面と吸着する。
しかしながら、ドアを開く場合においては相手方の磁性体の面材とマグネット吸着面はドアの開力で略同時に分離させられることとなる。そのため、やや強めにドアを開かねばならず、重く感じさせるものとなる。又、マグネット吸着面の方が突起部による部材との付着力より強くなると、マグネットパッキン自体が外れてしまう恐れがある。
【先行技術文献】
【特許文献】
【０００７】
【特許文献１】特開平１０−２１６７号公報
【考案の概要】
【考案が解決しようとする課題】
【０００８】
本考案が解決しようとする課題は、従来の扉の問題点を解消し、扉の隙間閉鎖の構造を、簡単な構造で安価に提供でき、しかも扉開閉操作は円滑に軽い力でもってでき、劣化してもメンテナンス・交換作業も安価で迅速にできるようにすることにある。
【課題を解決するための手段】
【０００９】
かかる課題を解決した本考案の構成は、
１）  建造物の開口部の内周に外枠を取付け、同外枠に嵌合する扉本体を外枠の一辺で蝶着した構造の扉における扉閉時における扉本体と外枠との間に生じる隙間を閉鎖する扉の隙間閉鎖構造であって、扉閉時において扉本体と外枠の間に隙間が生じる個所の外枠又は扉本体の一方の周縁部分に、弾支片を他方の扉本体又は外枠方向に向けて突出するように且つ前記周縁部分に沿って周縁部と弾支片とが気密状に連接するように取付け、同弾支片の先端に磁石板を取付け、扉本体を閉じた場合に前記磁石板に対向する位置となる扉本体又は外枠の外周面の素材を磁性体として前記磁石板が対向する磁性体の面と吸着できるようにし、しかも弾支片の先端の磁石板は扉閉時直前の磁性体の面と傾斜する状態に取付け、扉本体が閉じると弾支片と磁石板が変形変位して磁石板の傾斜した先端部分が対向した磁性体の外周面に先ず吸着し、扉が閉じるに従ってその吸着面が増えるように磁石板が磁力で吸着して、外枠と扉本体との閉時の隙間を弾支片と磁石板とで閉鎖できるようにした、扉の隙間閉鎖構造
２）  弾支片が隙間を生じる個所の外枠の周縁部に沿って且つ扉本体方向に向けて突出するように脱着自在に外枠に取付けられ、弾支片の先端の磁石板が扉本体を閉じた場合に対向する位置となる扉本体の外周面の素材を磁性体とした、前記１）記載の扉の隙間閉鎖構造
３）  弾支片が隙間を生じる扉本体の周縁部に沿って且つ外枠方向に向けて突出するように脱着自在に扉本体に取付けられ、弾支片の先端の磁石板が扉本体を閉じた場合に対向する位置となる外枠の外周面の素材を磁性体とした、前記１）記載の扉の隙間閉鎖構造
４）  弾支片を取付ける扉本体の周縁部が扉本体の下辺の周縁部で、又その対向する外枠の下枠を扉の磁性体の沓摺とし、しかも弾支片の先端に取付けられる磁石板は扉本体が閉じる方向に動くときに前方側となる磁石板の前端が後端に比べ、取付けている扉本体の周縁部に近くなるように磁石板を傾斜状態に取付け、磁性体の沓摺の表面は扉閉鎖位置に近づくに従って高くなるように傾斜するように設けられ、磁石板は扉本体が閉方向に動くにつれてその後端から前端に向けて沓摺表面に磁力で吸着していく部分が漸次増えることで、軽い開閉操作力で円滑に弾支片と磁石板とによって扉本体と外枠との隙間を閉鎖できるようにした、前記３）記載の扉の隙間閉鎖構造
５）  弾支片が、外枠の周縁部分に同周縁部と気密を保つように連接され且つ外枠と脱着自在に取付けられる弾支片支持本体の外端に一体的に設けられたものである、前記２）記載の扉の隙間閉鎖構造
６）  弾支片が、扉本体の周縁部分に同周縁部と気密を保つように連接され且つ扉本体と脱着自在に取付けられる弾支片支持本体の外端に一体的に設けられたものである、前記３）又は４）記載の扉の隙間閉鎖構造
７）  磁石板と弾支片先端との連結部及び弾支片支持本体と弾支片との連結部に切欠を設けて連結部で折曲し易くして、磁石板が扉閉時に対向する磁性体の対向面に添う姿勢に動き易くした、前記５）記載の扉の隙間閉鎖構造
８）  磁石板と弾支片先端との連結部及び弾支片支持本体と弾支片との連結部に切欠を設けて連結部で折曲し易くして、磁石板が扉閉時に対向する磁性体の対向面に添う姿勢に動き易くした、前記６）記載の扉の隙間閉鎖構造
９）  磁石板が、弾支片の先端に一体的に取付けた傾斜ベースの外面にゴム磁石を付着して形成された、前記３），４），６），８）いずれか記載の扉の隙間閉鎖構造
１０）  磁石板が、弾支片の先端に一体的に取付けた傾斜ベースの外面にゴム磁石を付着して形成された、前記１），２），５），７）いずれか記載の扉の隙間閉鎖構造
１１）  弾支片とその先端の傾斜ベース及び弾支片支持本体及び弾支片支持本体の外周に突出させた複数の嵌合用突起とを一体成型で一つの閉鎖部材として製造し、ゴム磁石を傾斜ベースに付着して扉本体の凹所に嵌合して気密的に且つ脱着自在に取付けた、前記９）記載の扉の隙間閉鎖構造
１２）  弾支片とその先端の傾斜ベース及び弾支片支持本体及び弾支片支持本体の外周に突出させた複数の嵌合用突起とを一体成型で一つの閉鎖部材として製造し、ゴム磁石を傾斜ベースに付着して外枠の凹所に嵌合して気密的に且つ脱着自在に取付けた、前記１０）記載の扉の隙間閉鎖構造
１３）  傾斜ベースの表面外周縁に沿って係止片を周設し、同係止片の内面とベース表面とに接着剤を塗布して、磁石板を塗布した係止片とベース表面に嵌合させて傾斜ベースに取付けた、前記９）〜１２）いずれか記載の扉の隙間閉鎖構造
にある。
【考案の効果】
【００１０】
本考案によれば、隙間が生じる周縁部に取付けられる弾支片はその周縁部とは気密状に連接されている。更に、この弾支片の先端に取付けた磁石板は扉閉時に扉本体又は外枠の対向する磁性体の対向面と磁力で吸着することで、扉本体と外枠の間は弾支片と磁石板とで閉鎖され、それらの間の隙間をなくし、音・光・ゴミ・黄砂・火山灰・温度湿度の違う空気流の扉まわりからの出入を阻止できる。
しかも、磁石板は弾支片の弾性変形の変位変形で、磁性体の対向面に添うように全面密着できるようになる。そして、この弾支片はこれを取付けた周縁部とは気密性をもって連接するように取付けられるので、弾支片と磁石板とは扉本体と外枠との間の隙間を略完全に閉鎖できる。
しかも、弾支片、磁石板はきわめて安価で、施工・交換作業も簡単にできるので実用的なものになる。
【００１１】
特に、扉の下枠の沓摺で使用する考案では扉本体の周縁部に弾支片を取付け、同弾支片の先端に磁石板を取付け、磁石板が閉時対向する外枠部分の沓摺の素材を磁性体としたことで、磁石板と下枠の沓摺とは磁力により吸着力が発生するが、磁石板は扉本体の閉方向の回転ではその前端が外枠の対向面から遠い位置となるように前後に傾いていて、しかも外枠の対向面は閉鎖位置で扉本体に最も近ずくように傾斜していることで、扉本体の閉方向の動きで磁石板の後端が最も早く下枠の沓摺表面と接触し、その後端部が磁力で吸着されるが、磁石板の傾斜と対向面の傾斜及び弾支片の復原力で磁力の吸着力で全面的に同時に吸着されるのを防ぎ、後端だけの部分吸着の状態となっている。更に、扉本体が閉鎖位置の方向に近づくにつれて、下枠の沓摺の対向面の傾斜によって対向面が磁石板の方向に近ずくことによって、磁石板の吸着巾が前方に拡がっていく。最後は閉鎖位置では磁石板は外枠の周縁部の対向面に全面的に吸着する。
【００１２】
これによって、扉本体と外枠との隙間は弾性片と磁石板とで閉鎖され、防音性・気密性となり、又空気流通を遮断できる。
【００１３】
しかも、扉の外枠の下枠の沓摺に使用する考案では、扉本体の開閉は小さな磁石板が後端から漸次吸着していくので及び弾支片と磁石板の変形変位によって大きな抵抗はなく、円滑に閉じることができる。開方向も逆の行程で前端から漸次分離していくので、軽い力で略完全に隙間を閉鎖でき且つ開放できる開閉操作となっている。よって、軽い扉の開閉操作力で開閉できる。
又、弾支片・磁石板には弾性変形変位と磁力が働くのみでメカニカルな強い加圧力が働いてないので、弾支片・磁石板の損傷はほとんどない。長期間耐久性のある隙間閉鎖性能を保持できる。又、扉開時で磁石板の吸着面が漸次離れていくので、弾支片・磁石板弾支片支持本体の閉鎖部材が扉本体外枠から外れることはない。
【００１４】
又、弾性片・磁石板の製造コストは安く且つ交換も迅速に行える。
【００１５】
更に、弾支片が外枠又は扉本体の周縁部と脱着自在に取付けられる弾支片支持本体を介して取付けられれば、弾性片の取付け・交換がきわめて容易にできる。
【００１６】
磁石板が弾支片の先端に取り付けた傾斜ベースの外側にゴム磁石を接着等で付着させることで形成すれば、磁石板の取付け・交換が容易となる。
【図面の簡単な説明】
【００１７】
【図１】図１は実施例のホテルの出入口のドアの扉の下枠の沓摺に生じる隙間の隙間閉鎖構造を示す説明図である。
【図２】図２は実施例の扉の左右の縦枠に生じる隙間の隙間閉鎖構造を示す説明図である。
【図３】図３は実施例の閉鎖部材の拡大断面図である。
【図４】図４は実施例の扉の下枠の沓摺に生じる隙間の閉鎖行程を示す説明図である。
【図５】図５は実施例の扉の上枠に生じる隙間の閉鎖行程を示す説明図である。
【図６】図６は本考案の磁石板の他の構造例を示す説明図である。
【考案を実施するための形態】
【００１８】
本考案では、弾支片が扉本体側に取付けられ外枠側が磁性体となる態様と、弾支片が外枠側に取付けられ扉本体側が磁性体となる態様とがある。あるいは、一つの扉で上記二つの態様を混在させて使用することもある。
本考案の「弾支片」は「弾支片支持本体」と一体成型の弾性変形し易いプラスチック製又はゴム製で製作することが一般的である。
そして、弾支片支持本体は扉本体又は外枠の周縁部に設けた溝部に嵌装させて脱着自在にし、弾支片は弾支片支持本体から外枠又は扉本体方向へ突出させた一体成型の部材として形成させるのがよい。
【００１９】
本考案の外枠又は扉本体の対向面は磁石板と磁力で吸着できるように、磁性体素材（例えば鋼又は磁性体であるステンレス）を使用する。又は外枠又は扉本体の表面に磁性体となる薄い金属板を付着するか、又は吹付けして磁性体の層を形成させてもよい。いずれも本考案に含まれるものである。
【００２０】
更に、本考案の弾支片の先端に設ける磁石板が折曲部分・連結部で可動・回動し易くするために、弾支片の先端・基端の連結部分に小さな円状切欠、又は溝状切欠を設けることが好ましい。
【００２１】
又、本考案の扉の隙間閉鎖構造は、扉本体とその外枠との間の閉めた場合に隙間を生じる周縁に設けるが、扉本体の上下左右全周縁に設けてもよいし、扉本体と外枠との間の隙間が大きい特定の周辺のみに隙間閉鎖構造としてもよい。更に、扉本体は縦長の長方形状の扉とは限らず、円形状の扉、横に長い長方形状の窓扉にも使用できる。又、蝶着辺は扉本体の側辺とは限らず、上辺で蝶着するでも適用できる。
又、扉としてはホテル・ビルの各室のドア、住宅の各室のドア、寝室のドア、動物の居住の室のドア、トイレのドア、建物の通気口の扉等があり、これらに有効に使用できる。
【実施例】
【００２２】
以下、本考案の図１〜５に示す実施例を図面に基づいて説明する。
本実施例は、ホテルの客室の出入口のドアの下枠の沓摺、上辺の上枠及び外枠の左右辺の縦枠の外枠全周に本考案を使用した例で、主に防音を目的とした隙間閉鎖構造の例で、外周に嵌合定着気密用突起を有する弾支片支持本体と、その外側に斜めに突出させた弾支片と、弾支片の先端の傾斜ベースとを弾性変形可能な塩化ビニル樹脂の一体成型で製作し、この傾斜ベースの表面にマグネットゴムのゴム磁石を接合して磁石板として、細長の閉鎖部材として使用している。
又、実施例の弾支片・磁石板を取付けるのは、室への出入口の扉の下辺部分の沓摺及び外枠の上辺の横枠と左右の縦枠で全周に取付けている。扉の下辺の沓摺は入口で靴で踏まれる下辺の隙間が大きく、この下辺隙間から音・室内光の洩れが大きく、又廊下の会話が室内で聞こえるようになるのを防ぐものである。弾支片は外枠の下枠では扉本体側に、上枠・左右枠の縦枠では外枠側に脱着自在に取付けている。
【００２３】
扉の外枠の下枠の沓摺はバリアフリーにするためフラットに近くにしていて、ステンレスの磁性体となるＳＵＳ４３０を使用している。そして、傾斜（テーパー）を与えていて、下枠の前後の上縁より中央の扉閉鎖位置となる上面は３〜５ｍｍ程高くして中央に向けて傾斜を与えている。
【００２４】
又、本実施例では図１，２で示すように前記下枠の沓摺の他に扉の上辺及び左右辺においても、その外枠の上枠部材に溝部を設け、又左右辺の縦枠にも溝部を設け、これら溝部に一体成型してゴム磁石を傾斜ベースに付着させて磁石板を形成した閉鎖部材を嵌合して、その弾支片を磁石板を外枠の上辺・左右辺にも取付けている。
【００２５】
本実施例は、図３に示す一体化された閉鎖部材を扉本体の下辺及びその外枠の上辺・左右辺の溝部に嵌合するものであり、その取付作業はきわめて迅速に且つ簡単に行えるものとなっている。又、閉鎖構造のコストも安価で耐久性あるものとしている。
【００２６】
（図面の符号の説明）
Ｇは実施例のホテルの各室の出入口の扉（ドア）Ｄの防音構造であり、１は扉本体で、左の縦辺に蝶番Ｔを設けて蝶着されている。１０は扉本体１の下辺周縁部、１１は扉本体下枠板、１１１は扉本体下枠板１１の溝部、１２は扉本体１の表板、１３は扉本体１の裏板、１４は表板１２と裏板１３との間の充填材、２０はステンレスＳＵＳ４３０製の磁性体である外枠、２０１は外枠２０の沓摺となる下枠で、いずれも磁性体のステンレスＳＵＳ４３０で製作されている。又、この下枠２０１は中央に向けて３〜５ｍｍのテーパーを設けている。２０１ａは下枠２０１を建造物躯体に固定する固定部材、２０１ｂは下枠（沓摺）の傾斜面、２０２は外枠２０の縦枠、２０３は外枠２０の上枠である。３０は弾性変形可能な塩化ビニル樹脂製の一体成型された弾支片、３１は同弾支片３０を下端に一体的に取付けた弾支片支持本体、３１ａは弾支片支持本体３１の内部に筒状空間を有する筒状部、３１ｂは筒状体の左右面に設けた嵌合定着用突起、３２は弾支片３０の先端に一体的に形成した傾斜ベース、３３は弾支片３０と弾支片支持本体３１・傾斜ベース３２との折曲部・連結部に設けた回動・変向し易くするための小さい円形切欠、４０は傾斜ベース３２の下面に厚みの薄いゴム磁石４０ａを強力に接着して形成した磁石板である。５０は一体成型で製作された弾支片３０と弾支片支持本体３１とその外周に設けた嵌合用突起３１ｂと傾斜ベース３２及びこの傾斜ベース３２の成形品の傾斜ベース３２にゴム磁石４０ａを接合して形成させた磁石板４０とからなる閉鎖部材である。弾支片３０及び磁石板４０は、この閉鎖部材５０を使用して扉本体又は外枠に取付けている。２０２ａは縦枠２０２に設けた溝部、２０３は外枠２０の上枠、２０３ａは同上枠に設けた溝部である。
【００２７】
本実施例の扉本体１の下辺周縁部１０に溝部１１１を設け、これに閉鎖部材５０を嵌入する。嵌入された閉鎖部材５０の筒状部３１ａの左右に突出した複数の嵌合定着用突起３１ｂは溝部１１１の内側面の拘束面によって中間から折曲するように嵌合する。その折曲部分はその弾性の復原力で溝部１１１の側面に圧着されるように係合する。これによって、扉本体１の下辺周縁部１０と閉鎖部材５０は、この突起３１ｂと弾支片３０とで気密状に連接されている。又、強く閉鎖部材５０は溝部１１１に固着されることで、磁石板４０の磁力の吸着力、及び磁石板４０の外枠との摩擦力、変形力に対して耐えて、閉鎖部材５０が溝部１１１から外れることがないようになっている。
【００２８】
本実施例の弾支片３０を含んだ細長の閉鎖部材５０を工場で製造して用意し、扉本体１の下辺周縁部１０を構成する扉本体下枠板１１の溝部１１１に閉鎖部材５０の弾支片支持本体３１の中央の筒状部３１ａを嵌入させる。同筒状部３１ａの外周から突出した突起３１ｂが圧縮変形しながら溝部１１１と強く係合して、閉鎖部材５０，弾支片支持本体３１は通常の扉本体１の開閉によっては外れることがないように扉の下辺周縁部１０に固着される。この閉鎖部材５０は強い引張力で引っ張ることによって、溝部１１１から取り外せて脱着可能に固定されている。
【００２９】
この閉鎖部材５０が扉本体１の下辺に取付けられた状態では、弾支片３０は扉本体１の下辺から下方で且つ閉方向となる前方へ斜めに突出している（図１参照）。そして、この弾支片３０の先端（下端）の傾斜ベース３２及びこれに接合したゴム磁石とで肉厚が薄い磁石板４０が形成されている。磁石板４０はその前端が高く、その後端は低くなるように傾斜している。
【００３０】
本実施例の閉鎖部材５０の弾支片３０と弾支片支持本体３１との連結部と、弾支片３０の先端の傾斜ベース３２との連結部とには小さな切欠３３を設けていて、弾支片３０及び磁石板４０はこの連結部で折曲し易くなって変形変位が容易となっている。
【００３１】
本実施例での下枠の沓摺での気密性について説明する。
この沓摺での隙間の閉鎖の行程は、図４に示している。
図４の（イ）の図面は、扉本体１が沓摺の下枠の傾斜面２０１ｂに近づいている状態を示す。このとき、磁石板４０は弾支片３０に傾斜状態で吊り下がった状態である。次に（ロ）の図面は、吊られた傾斜した磁石板４０の最も下方位置となる後端が傾斜した下枠２０１（沓摺）の傾斜面２０１ｂと接触し、後端の磁石部分が傾斜面２０１ｂのステンレスＳＵＳ４３０の磁性体面と少し磁力に吸着される。しかし、まだ磁石板４０の弾支片３０の方の持ち上げ力の方が強く、磁石板４０はこの時点では全面吸着せず、後端のみが傾斜面２０１ｂに一部吸着するのみである。
【００３２】
この状態で扉本体１が更に閉められると、傾斜面２０１ｂが高くなっていくことで、磁石板４０との接触面が増加していく。弾支片３０先端と傾斜ベース３２の連結部に切欠３３があるので、磁石板４０の傾斜は磁力吸引力で小さくなる方向になっていく。又、磁石板４０は弾支片３０の閉方向に移動に伴って閉鎖方向に引きづられていく。それに伴って、磁石板４０の磁力の吸着力も増加する。そして、下枠（沓摺）の中央にくると、磁石板４０全面は下枠２０１の傾斜面２０１ｂに近づいて磁力で添うように吸着される図４の（ハ）の状態となる。
そして、扉本体１を開ける場合は図４の（ハ）→（ロ）→（イ）のように吸着面が小さくなるように前端の方から剥がれていって開放される。
【００３３】
扉を閉じた図４（ハ）の状態では、弾支片３０は扉本体１の下辺の周縁部に気密状に連接され、しかも弾支片３０の先端の磁石板４０は下枠の沓摺に吸着することで、扉本体１と下枠２０１との間の隙間は弾支片３０、弾支片支持本体３１、磁石板４０からなる閉鎖部材５０で気密状に閉鎖される。
【００３４】
本実施例の上枠２０３、左右の縦枠２０２には溝部２０３ａ，２０２ａが設けられ、これに閉鎖部材５０が嵌入されている。この扉本体の上辺・左右辺では、この上辺・左右辺の外枠２０に取付けた閉鎖部材５０の磁石板４０が扉本体１の周縁部の磁性体のＳＵＳ４３０の表板１２に吸着される。この上辺・左右辺の弾支片３０は大きく折れ曲がってその先端の磁石板４０は扉本体１と面に密着する。
【００３５】
この様に、扉の上辺・左右辺での気密性は、外枠２０に脱着自在に取付けられた閉鎖部材５０によってなされる。
よって、扉の下辺・上辺・左右辺の全周ともに閉鎖部材５０によって隙間がないように閉鎖される。
これによって、室内側の音及び光が扉下側へ洩れることがない。又、扉下側の音・光等がホテルの客室の方へ伝わることがないようにしている。
【００３６】
本実施例では、工場で製造される長尺の閉鎖部材５０を現場で所定長さに切断して、扉本体・外枠に設けられた溝部に嵌入するだけの簡単な作業で扉の防音・光の遮断ができる構造にできる。
【００３７】
しかも、その交換もきわめて容易で迅速に行える。本実施例の最大のメリットは、きわめて安価で扉・窓・開口部等を防音、光遮断、黄砂遮断、ガス・タバコ煙遮断できる。
【００３８】
図６で示す磁石板４０は、本考案の磁石板４０の別の構造例であって、傾斜ベース３２の表面の外周縁に沿って表面から少し立ち上った係止片３２ａを設け、同仮止片３２ａの内側面とこれに囲まれる磁石板４０の表面とに接着剤を塗布してゴム磁石４０ａを係止片３２ａ内に嵌入して接合して形成された磁石板４０である。そして、嵌入したゴム磁石４０ａの表面は、係止片３２ａの先端より低くなっているようにしている。
この図６の磁石板４０を使用すると、傾斜ベース３２とゴム磁石４０ａの接着が強固になされる。この接着力が弱い場合、扉を開く時に磁力の方が接着力より勝ってゴム磁石４０ａが傾斜ベース３２から剥れて相手側の磁性体の表面に吸着して残ることを上記の強固な接着構造としたことで防いでいる。又、相手方の磁性体の面とは係止片３２ａの先端が当ることで、当り音が柔らかくなってドア閉音を少なくする。又、磁石板４０によって相手方の磁性体の面を傷つけることがない。
この実施例１の磁石板４０を図６の磁石板４０の構造とすることが望ましい。
【産業上の利用可能性】
【００３９】
本考案は、ホテル・マンションにおける玄関ドアばかりでなく、風呂場・トイレ・個室のドア、窓、ダクトの通風口及び工場での区画室の遮断、又はベランダ・デッキの開閉窓で黄砂防止、粉・煙防止にも利用できる。
【符号の説明】
【００４０】
Ｇ    実施例の扉の防音構造
Ｄ    扉
Ｔ    蝶番
１    扉本体
１０    下辺周縁部
１１    扉本体下枠板
１１１    溝部
１２    表板
１３    裏板
１４    充填材
２０    外枠
２０１    下枠（沓摺）
２０１ａ    固定部材
２０１ｂ    下枠の傾斜面
２０２    縦枠
２０３    上枠
３０    弾支片
３１    弾支片支持本体
３１ａ    筒状部
３１ｂ    突起
３２    傾斜ベース
３２ａ    係止片
３３    切欠
４０    磁石板
４０ａ    ゴム磁石
５０    閉鎖部材
【図１】
0003197883.tif 000003
【図２】
0003197883.tif 000004
【図３】
0003197883.tif 000005
【図４】
0003197883.tif 000006
【図５】
0003197883.tif 000007
【図６】
0003197883.tif 000008